【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
コントローラによって実行されたときに顔認識システムで使用するための画像を取り込むために使用されるコード化されたコンピュータプログラムを有する非一過性コンピュータ記憶媒体を備える製品であって、
前記コンピュータプログラムが、個人の顔の対応するプローブ画像の第１の連続的セットをカメラに取り込ませるように構成された制御信号の第１の連続的セットを生成するためのコードを含み、
前記制御信号の第１の連続的セット内の各制御信号が、露光時間を使用して、前記プローブ画像の第１の連続的セットのなかの１つのプローブ画像を前記カメラに取り込ませるように構成され、前記制御信号の第１の連続的セットに関連する前記異なる露光時間が、前記個人の前記顔の光量および肌の色調の少なくとも一方におけるバリエーションにもかかわらず、前記プローブ画像の第１の連続的セットから使用可能な画像の取込みを可能にするように構成された第１の所定のプロファイルを共に形成し、
前記制御信号の第１の連続的セットを生成するための前記コードが、複数の所定のプロファイルの中から前記第１の所定のプロファイルを選択するためのコードを含み、前記複数の所定のプロファイルの各々が、露光時間の異なるシーケンスを有する、製品。
【請求項２】
前記第１の所定のプロファイルを選択するための前記コードが、時間に応答して前記第１の所定のプロファイルを選択するためのコードを含む、請求項１に記載の製品。
【請求項３】
前記プローブ画像の第１の連続的セット内の各後続の画像についての前記露光時間が、前記プローブ画像の第１の連続的セット内の各先行する画像についての前記露光時間よりも長い、請求項１に記載の製品。
【請求項４】
前記プローブ画像の第１の連続的セットの第１の画像と、前記第１の画像の直後に続く前記プローブ画像の第１の連続的セットの第２の画像と、の間の露光時間の差が、前記第２の画像と、前記第２の画像の直後に続く前記プローブ画像の第１の連続的セットの第３の画像と、の間の露光時間の差に等しい、請求項１に記載の製品。
【請求項５】
前記プローブ画像の第１の連続的セットの第１の画像と、前記第１の画像の直後に続く前記プローブ画像の第１の連続的セットの第２の画像と、の間の露光時間の差が、前記第２の画像と、前記第２の画像の直後に続く前記プローブ画像の第１の連続的セットの第３の画像と、の間の露光時間の差とは異なる、請求項１に記載の製品。
【請求項６】
前記コンピュータプログラムが、前記プローブ画像の第１の連続的セットのなかのいずれかが前記使用可能な画像を含むかどうかを判定するためのコードをさらに含む、請求項１に記載の製品。
【請求項７】
前記プローブ画像の第１の連続的セットのなかのいずれかが前記使用可能な画像を含むかどうかを判定するためのコードが、
前記プローブ画像の第１の連続的セットの各１つのプローブ画像を評価するステップと、
前記１つのプローブ画像が前記使用可能な画像である場合、前記制御信号の第１の連続的セットの生成を終了するステップと、を含み、
前記評価するステップを、前記１つのプローブ画像が前記使用可能な画像であるかどうかを判定するために、前記１つのプローブ画像の取込み後、および前記１つのプローブ画像の直後に続く前記プローブ画像の第１の連続的セット内の後続のプローブ画像の取込み前に実施する、請求項６に記載の製品。
【請求項８】
前記コンピュータプログラムが、
前記使用可能な画像がないときに、前記個人の前記顔の対応するプローブ画像の第２の連続的セットをカメラに取り込ませるように構成された制御信号の第２の連続的セットを生成するためのコードをさらに含み、
前記制御信号の第２の連続的セット内の各制御信号が、異なる露光時間を使用して、前記プローブ画像の第２の連続的セットのなかの１つのプローブ画像を前記カメラに取り込ませるように構成され、前記制御信号の第２の連続的セットに関連する前記異なる露光時間が、前記個人の前記顔の前記光量および前記肌の色調の少なくとも一方におけるバリエーションにもかかわらず、前記プローブ画像の第２の連続的セットから前記使用可能な画像の取込みを可能にするように構成された第２の所定のプロファイルを共に形成する、請求項７に記載の製品。
【請求項９】
前記プローブ画像の第１の連続的セット内のプローブ画像の第１の数が、前記プローブ画像の第２の連続的セット内のプローブ画像の第２の数に等しく、前記プローブ画像の第１の連続的セット内の各プローブ画像についての前記露光時間が、前記画像の第２の連続的セット内の各対応するプローブ画像についての前記露光時間とは異なる、請求項８に記載の製品。
【請求項１０】
前記プローブ画像の第２の連続的セット内の各プローブ画像についての前記露光時間が、前記プローブ画像の第１の連続的セット内の対応するプローブ画像についての前記露光時間よりも長い、請求項９に記載の製品。
【請求項１１】
前記プローブ画像の第２の連続的セットのなかのプローブ画像の少なくとも１つについての前記露光時間が、前記プローブ画像の第１の連続的セットのなかの各プローブ画像についての前記露光時間よりも長い、請求項９に記載の製品。
【請求項１２】
前記制御信号の第１の連続的セット内の各制御信号が、一定の開口および一定の感光度を前記カメラに維持させるようにさらに構成される、請求項１に記載の製品。
【請求項１３】
顔認識システムで使用するための画像を取り込むためのシステムであって、
個人の顔の対応するプローブ画像の第１の連続的セットをカメラに取り込ませるように構成された制御信号の第１の連続的セットを生成するように構成されたコントローラを備え、
前記制御信号の第１の連続的セット内の各制御信号が、異なる露光時間を使用して、前記プローブ画像の第１の連続的セットのなかの１つのプローブ画像を前記カメラに取り込ませるように構成され、前記制御信号の第１の連続的セットに関連する前記異なる露光時間が、前記個人の前記顔の光量および肌の色調の少なくとも一方におけるバリエーションにもかかわらず、前記プローブ画像の第１の連続的セットから使用可能な画像の取込みを可能にするように構成された第１の所定のプロファイルを共に形成し、
前記コントローラが、複数の所定のプロファイルの中から前記第１の所定のプロファイルを選択するようさらに構成され、前記複数の所定のプロファイルの各々が、露光時間の異なるシーケンスを有する、システム。
【請求項１４】
前記プローブ画像の第１の連続的セットのなかの第１の画像と、前記第１の画像の直後にある前記プローブ画像の第１の連続的セットのなかの第２の画像と、の間の露光時間の差が、前記第２の画像と、前記第２の画像の直後にある前記プローブ画像の第１の連続的セットのなかの第３の画像と、の間の露光時間の差とは異なる、請求項１３に記載のシステム。
【請求項１５】
前記コントローラが、前記プローブ画像の第１の連続的セットのなかのいずれかが前記使用可能な画像を含むかどうかを判定するようにさらに構成される、請求項１３に記載のシステム。
【請求項１６】
前記プローブ画像の第１の連続的セットのなかのいずれかが前記使用可能な画像を含むかどうかを判定するときに、前記コントローラが、
前記プローブ画像の第１の連続的セットのなかの各１つのプローブ画像を、前記１つのプローブ画像の取込み後、および前記１つのプローブ画像の直後にある前記プローブ画像の第１の連続的セット内の後続のプローブ画像の取込み前に、前記１つのプローブ画像が前記使用可能な画像であるかどうかを判定するために、評価し、
前記１つのプローブ画像が前記使用可能な画像である場合、前記制御信号の第１の連続的セットの生成を終了するように、さらに構成される、請求項１５に記載のシステム。
【請求項１７】
前記コントローラが、
前記使用可能な画像がない場合、前記個人の前記顔の対応するプローブ画像の第２の連続的セットを前記カメラに取り込ませるように構成された制御信号の第２の連続的セットを生成するようにさらに構成され、
前記制御信号の第２の連続的セット内の各制御信号が、異なる露光時間を使用して、前記プローブ画像の第２の連続的セットのなかの１つのプローブ画像を前記カメラに取り込ませるように構成され、前記制御信号の第２の連続的セットに関連する前記異なる露光時間が、前記個人の前記顔の前記光量および前記肌の色調の少なくとも一方におけるバリエーションにもかかわらず、前記プローブ画像の第２の連続的セットから前記使用可能な画像の取込みを可能にするように構成された第２の所定のプロファイルを共に形成する、請求項１５に記載のシステム。
【請求項１８】
前記プローブ画像の第１の連続的セット内のプローブ画像の第１の数が、前記プローブ画像の第２の連続的セット内のプローブ画像の第２の数に等しく、前記プローブ画像の第１の連続的セット内の各プローブ画像についての前記露光時間が、前記画像の第２の連続的セット内の各対応するプローブ画像についての前記露光時間とは異なる、請求項１７に記載のシステム。
【請求項１９】
顔認識システムで使用するための画像を取り込むための方法であって、
個人の顔の対応するプローブ画像の第１の連続的セットをカメラに取り込ませるように構成された制御信号の第１の連続的セットを生成するための命令を含む、コントローラ内の複数のプログラム命令を実行するステップを含み、
前記制御信号の第１の連続的セット内の各制御信号が、異なる露光時間を使用して、前記プローブ画像の第１の連続的セットのなかの１つのプローブ画像を前記カメラに取り込ませるように構成され、前記制御信号の第１の連続的セットに関連する前記異なる露光時間が、前記個人の前記顔の光量および肌の色調の少なくとも一方におけるバリエーションにもかかわらず、前記プローブ画像の第１の連続的セットから使用可能な画像の取込みを可能にするように構成された第１の所定のプロファイルを共に形成し、
前記第１の所定のプロファイルが、複数の所定のプロファイルの中からを選択され、前記複数の所定のプロファイルの各々が、露光時間の異なるシーケンスを有する、方法。